(57)【要約】【課題】はんだの濡れ性が確保でき、かつ、はんだ付け後の残渣量を抑制して低残渣を実現可能なフラックを提供する。【解決手段】フラックスは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計を１ｗｔ％以上１３ｗｔ％以下、溶剤を６５ｗｔ％以上９９ｗｔ％以下含む。【選択図】無し【特許請求の範囲】
【請求項１】
オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計を１ｗｔ％以上１３ｗｔ％以下、溶剤を６５ｗｔ％以上９９ｗｔ％以下含む
ことを特徴とするフラックス。
【請求項２】
溶剤を８５ｗｔ％以上９５ｗｔ％以下含む
ことを特徴とする請求項１に記載のフラックス。
【請求項３】
さらに他の有機酸を０ｗｔ％以上５ｗｔ％以下含む
ことを特徴とする請求項１または請求項２に記載のフラックス。
【請求項４】
さらにロジンを０ｗｔ％以上１０．０ｗｔ％以下含む
ことを特徴とする請求項１〜請求項３の何れか１項に記載のフラックス。
【請求項５】
ロジンを非含有とする
ことを特徴とする請求項１〜請求項３の何れか１項に記載のフラックス。
【請求項６】
さらにアミンを０ｗｔ％以上５ｗｔ％以下含む
ことを特徴とする請求項１〜請求項５の何れか１項に記載のフラックス。
【請求項７】
さらに有機ハロゲン化合物を０ｗｔ％以上５ｗｔ％以下含む
ことを特徴とする請求項１〜請求項６の何れか１項に記載のフラックス。
【請求項８】
さらにアミンハロゲン化水素酸塩を０ｗｔ％以上１ｗｔ％以下含む
ことを特徴とする請求項１〜請求項７の何れか１項に記載のフラックス。
【請求項９】
さらにベース材、界面活性剤、チキソ剤、酸化防止剤のうち、少なくとも１種を含む
ことを特徴とする請求項１〜請求項８の何れか１項に記載のフラックス。
【請求項１０】
１０ｍｇの当該フラックスを、Ｎ２雰囲気下で、２５℃〜２５０℃まで昇温速度１℃／ｓｅｃにて加熱した後の重量が、加熱前の重量の１５％以下である
ことを特徴とする請求項１〜請求項９の何れか１項に記載のフラックス。
【請求項１１】
請求項１から請求項１０の何れか１項に記載のフラックスとはんだ粉末を混合した
ことを特徴とするソルダペースト。
【発明の詳細な説明】
【技術分野】
【０００１】
本発明は、はんだ付けに用いられるフラックス及びこのフラックスを用いたソルダペーストに関する。
【背景技術】
【０００２】
一般的に、はんだ付けに用いられるフラックスは、はんだ及びはんだ付けの対象となる接合対象物の金属表面に存在する金属酸化物を化学的に除去し、両者の境界で金属元素の移動を可能にする効能を持つ。このため、フラックスを使用してはんだ付けを行うことで、はんだと接合対象物の金属表面との間に金属間化合物が形成できるようになり、強固な接合が得られる。
【０００３】
近年、小型情報機器の発達により、搭載される電子部品では急速な小型化が進行している。電子部品は、小型化の要求により接続端子の狭小化や実装面積の縮小化に対応するため、裏面に電極が配置されたボールグリッドアレイ（ＢＧＡ）が適用されている。
【０００４】
ＢＧＡの電極には、はんだバンプが形成されている。はんだバンプを作る方法として、フラックスを塗布した電極に、はんだボールを搭載して加熱する方法が採られていた。近年、電子部品の小型化により、電子部品のはんだ付け部位である電極ピッチの狭小化が進行している。電極ピッチの狭小化により、電極に搭載するはんだボールの径も、小型化が進んでいる。
【０００５】
はんだボールを使用したはんだ付けでは、はんだの濡れ性が確保できないと、電極上ではんだが均等にぬれ広がらず、電極に対してはんだボールの位置がずれ、はんだボールが電極パッドから外れた状態（ボールミッシング）が発生するという課題が提示されている（例えば、特許文献１参照）。このような課題は、電極のピッチの狭小化により顕著になる。
【先行技術文献】
【特許文献】
【０００６】
【特許文献１】特許第６１６０７８８号公報
【発明の概要】
【発明が解決しようとする課題】
【０００７】
はんだ付けを行う場合、溶融したはんだが十分にぬれ広がることが求められ、このため、フラックスには金属酸化膜を除去できる活性が求められる。
【０００８】
しかし、活性剤としてフラックスに添加される一般的な有機酸では、活性が十分とは言えず、添加する量が少ないと濡れ性が確保できず、濡れ性を確保するために添加する量を増やすと、残渣量が多くなる。
【０００９】
残渣量が多くなると、はんだ付け後の残渣を洗浄しないで使用する無洗浄用途に不適格となる場合があり。低残渣のフラックスが求められる。
【００１０】
このため、はんだ付け後に無洗浄で使用する用途では、活性剤として機能する成分が少量でも、十分な活性が得られることが好ましく、とりわけ、電極ピッチの狭ピッチ化に伴いはんだボールが小径化し、さらに、はんだパウダと称すサイズにまではんだボールが微細化すると、フラックスにより活性が必要となる。
【００１１】
本発明は、このような課題を解決するためなされたもので、はんだの濡れ性が確保でき、かつ、はんだ付け後の残渣量を抑制して無洗浄で使用する用途に適用できるような低残渣を実現可能なフラックス、及び、このフラックスを使用したソルダペーストを提供することを目的とする。
【課題を解決するための手段】
【００１２】
オレイン酸とリノール酸の反応物であるダイマー酸、及びその水添物、オレイン酸とリノール酸の反応物であるトリマー酸、及びその水添物は、少量の添加でも十分な活性が得られることを見出した。
【００１３】
そこで、本発明は、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計を１ｗｔ％以上１３ｗｔ％以下、溶剤を６５ｗｔ％以上９９ｗｔ％以下含むフラックスである。
【００１４】
本発明のフラックスは、溶剤を８５ｗｔ％以上９５ｗｔ％以下含むことが好ましく、さらに他の有機酸を０ｗｔ％以上５ｗｔ％以下含むことが好ましい。さらにロジンを０ｗｔ％以上１０．０ｗｔ％以下含んでもよいが、ロジンは非含有であることが好ましい。
【００１５】
本発明のフラックスは、さらにアミンを０ｗｔ％以上５ｗｔ％、有機ハロゲン化合物を０ｗｔ％以上５ｗｔ％、アミンハロゲン化水素酸塩を０ｗｔ％以上１ｗｔ％以下含むことが好ましい。
【００１６】
本発明のフラックスは、さらにベース材、界面活性剤、チキソ剤、酸化防止剤のうち、少なくとも１種を含むことが好ましい。
【００１７】
また、本発明のフラックスは、１０ｍｇの当該フラックスを、Ｎ２雰囲気下で、２５℃〜２５０℃まで昇温速度１℃／ｓｅｃにて加熱した後の重量が、加熱前の重量の１５％以下であることが好ましい。
【００１８】
また、本発明は、上述したフラックスと、金属粉を含むソルダペーストである。
【発明の効果】
【００１９】
本発明では、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計を１ｗｔ％以上１３ｗｔ％含むことで、はんだの濡れ性を得ることができる。また、残渣の量を抑制して低残渣を実現でき、はんだ付け後に無洗浄で使用する用途に適用できる。
【発明を実施するための形態】
【００２０】
＜本実施の形態のフラックスの一例＞
本実施の形態のフラックスは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計を１ｗｔ％以上１３ｗｔ％以下、溶剤を６５ｗｔ％以上９９ｗｔ％以下含む。
【００２１】
本実施の形態のダイマー酸は、オレイン酸とリノール酸の反応物で、炭素数が３６の２量体である。また、本実施の形態のトリマー酸は、オレイン酸とリノール酸の反応物で、炭素数が５４の３量体である。オレイン酸とリノール酸の反応物である本実施の形態のダイマー酸及びトリマー酸は、はんだ付けで想定される温度域までの加熱に対して耐熱性を有し、はんだ付け時に活性剤として機能する。
【００２２】
オレイン酸とリノール酸の反応物で炭素数が３６のダイマー酸及びその水添物と、オレイン酸とリノール酸の反応物であるダイマー酸及びその水添物より炭素数が少ない有機酸をそれぞれ同量添加した２つのフラックスを考えた場合、オレイン酸とリノール酸の反応物であるダイマー酸及びその水添物は分子量が大きく、添加量が同じであっても酸価が小さくなる。このため酸化膜除去（速度）は炭素数の少ない有機酸の方がより高活性となる。しかしながら、低残渣のフラックスを実現するため、すべての成分を揮発しやすい構成とすると、有機酸もリフロー中に揮発する設計となり、ロジン等の耐熱成分による保護も受けられないため、とりわけ炭素数の少ない有機酸は揮発・分解してしまう。
【００２３】
これに対して、オレイン酸とリノール酸の反応物であるダイマー酸及びその水添物は分子量が大きく、耐熱性を持ち、比較的少量で活性を有するために、はんだ濡れ性が向上する。オレイン酸とリノール酸の反応物で炭素数が５４のトリマー酸及びその水添物の場合も同様である。
【００２４】
これにより、オレイン酸とリノール酸の反応物であるダイマー酸及びその水添物、オレイン酸とリノール酸の反応物であるトリマー酸及びその水添物は、フラックスに含まれる量が少なくてもはんだ付け時に活性剤として機能し、また、フラックス中の量が少ないことで、はんだ付け後の残渣量を抑制して低残渣が実現でき、はんだ付け後に無洗浄で使用する用途に適用できる。
【００２５】
オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸を添加する量が多いと、はんだ付け後の残渣量が多くなる。
【００２６】
そこで、本実施の形態のフラックスは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは。オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸の２種以上の合計を、１ｗｔ％以上１３ｗｔ％以下含む。
【００２７】
また、本実施の形態のフラックスは、溶剤を６５ｗｔ％以上９９ｗｔ％以下、より好ましくは溶剤を８５ｗｔ％以上９５ｗｔ％以下含む。
【００２８】
また、本実施の形態のフラックスは、活性剤としてさらに他の有機酸を０ｗｔ％以上５ｗｔ％以下含む。本実施の形態のフラックスは、さらにロジンを０ｗｔ％以上１０．０ｗｔ％以下含む。なお、ロジンは非含有であることが好ましい。
【００２９】
また、本実施の形態のフラックスは、活性剤としてさらにアミンを０ｗｔ％以上５ｗｔ％以下、有機ハロゲン化合物を０ｗｔ％以上５ｗｔ％以下、アミンハロゲン化水素酸塩を０ｗｔ％以上１ｗｔ％以下含む。
【００３０】
なお、本実施の形態のフラックスは、添加剤としてベース材、界面活性剤、チキソ剤、酸化防止剤のうち、少なくとも１種を含んでも良い。
【００３１】
本実施の形態のフラックスは、熱重量測定法による測定で、１０ｍｇの当該フラックスを、Ｎ２雰囲気下で、２５℃〜２５０℃まで昇温速度１℃／ｓｅｃにて加熱した後の重量が、加熱前の重量の１５％以下であることが好ましい。加熱した後の重量が、加熱前の重量の１５％以下であれば、無洗浄の用途で使用可能な低残渣と見なすことができる。なお、加熱した後の重量が、加熱前の重量の１０％以下であることがより好ましく、さらに、加熱した後の重量が、加熱前の重量の５％以下であることがより好ましい。
【００３２】
溶剤としては、水、アルコール系溶剤、グリコールエーテル系溶剤、テルピネオール類等が挙げられる。アルコール系溶剤としてはエタノール、工業用エタノール（エタノールにメタノール及び／またはイソプロピルアルコールを添加した混合溶剤）、イソプロピルアルコール、１，２−ブタンジオール、イソボルニルシクロヘキサノール、２，４−ジエチル−１，５−ペンタンジオール、２，２−ジメチル−１，３−プロパンジオール、２，５−ジメチル−２，５−ヘキサンジオール、２，５−ジメチル−３−ヘキシン−２，５−ジオール、２，３−ジメチル−２，３−ブタンジオール、１，１，１−トリス（ヒドロキシメチル）エタン、２−エチル−２−ヒドロキシメチル−１，３−プロパンジオール、２，２′−オキシビス（メチレン）ビス（２−エチル−１，３−プロパンジオール）、２，２−ビス（ヒドロキシメチル）−１，３−プロパンジオール、１，２，６−トリヒドロキシヘキサン、ビス［２，２，２−トリス（ヒドロキシメチル）エチル］エーテル、１−エチニル−１−シクロヘキサノール、１，４−シクロヘキサンジオール、１，４−シクロヘキサンジメタノール、エリトリトール、トレイトール、グアヤコールグリセロールエーテル、３，６−ジメチル−４−オクチン−３，６−ジオール、２，４，７，９−テトラメチル−５−デシン−４，７−ジオール等が挙げられる。グリコールエーテル系溶剤としては、ヘキシルジグリコール、ジエチレングリコールモノ−２−エチルヘキシルエーテル、エチレングリコールモノフェニルエーテル、２−メチルペンタン−２，４−ジオール、ジエチレングリコールモノヘキシルエーテル、ジエチレングリコールジブチルエーテル、トリエチレングリコールモノブチルエーテル等が挙げられる。これら溶剤の中で、イソボルニルシクロヘキサノール、２，４−ジエチル−１，５−ペンタンジオール等、常温で粘度が高い溶剤を含むことが好ましい。
【００３３】
他の有機酸としては、グルタル酸、アジピン酸、アゼライン酸、エイコサン二酸、クエン酸、グリコール酸、コハク酸、サリチル酸、ジグリコール酸、ジピコリン酸、ジブチルアニリンジグリコール酸、スベリン酸、セバシン酸、チオグリコール酸、フタル酸、イソフタル酸、テレフタル酸、ドデカン二酸、パラヒドロキシフェニル酢酸、ピコリン酸、フェニルコハク酸、フマル酸、マレイン酸、マロン酸、ラウリン酸、安息香酸、酒石酸、イソシアヌル酸トリス(２−カルボキシエチル)、グリシン、１，３−シクロヘキサンジカルボン酸、２，２−ビス(ヒドロキシメチル)プロピオン酸、２，２−ビス(ヒドロキシメチル)ブタン酸、４−ｔｅｒｔ−ブチル安息香酸、２，３−ジヒドロキシ安息香酸、２，４−ジエチルグルタル酸、２−キノリンカルボン酸、３−ヒドロキシ安息香酸、リンゴ酸、ｐ−アニス酸、パルミチン酸、ステアリン酸、１２−ヒドロキシステアリン酸、オレイン酸、リノール酸、リノレン酸等が挙げられる。
【００３４】
また、他の有機酸としては、オレイン酸とリノール酸の反応物以外のダイマー酸、オレイン酸とリノール酸の反応物以外のトリマー酸、オレイン酸とリノール酸の反応物以外のダイマー酸に水素を添加した水添ダイマー酸またはオレイン酸とリノール酸の反応物以外のトリマー酸に水素を添加した水添トリマー酸として、アクリル酸の反応物であるダイマー酸、アクリル酸の反応物であるトリマー酸、メタクリル酸の反応物であるダイマー酸、メタクリル酸の反応物であるトリマー酸、アクリル酸とメタクリル酸の反応物であるダイマー酸、アクリル酸とメタクリル酸の反応物であるトリマー酸、オレイン酸の反応物であるダイマー酸、オレイン酸の反応物であるトリマー酸、リノール酸の反応物であるダイマー酸、リノール酸の反応物であるトリマー酸、リノレン酸の反応物であるダイマー酸、リノレン酸の反応物であるトリマー酸、アクリル酸とオレイン酸の反応物であるダイマー酸、アクリル酸とオレイン酸の反応物であるトリマー酸、アクリル酸とリノール酸の反応物であるダイマー酸、アクリル酸とリノール酸の反応物であるトリマー酸、アクリル酸とリノレン酸の反応物であるダイマー酸、アクリル酸とリノレン酸の反応物であるトリマー酸、メタクリル酸とオレイン酸の反応物であるダイマー酸、メタクリル酸とオレイン酸の反応物であるトリマー酸、メタクリル酸とリノール酸の反応物であるダイマー酸、メタクリル酸とリノール酸の反応物であるトリマー酸、メタクリル酸とリノレン酸の反応物であるダイマー酸、メタクリル酸とリノレン酸の反応物であるトリマー酸、オレイン酸とリノレン酸の反応物であるダイマー酸、オレイン酸とリノレン酸の反応物であるトリマー酸、リノール酸とリノレン酸の反応物であるダイマー酸、リノール酸とリノレン酸の反応物であるトリマー酸、上述したオレイン酸とリノール酸の反応物以外のダイマー酸に水素を添加した水添ダイマー酸、オレイン酸とリノール酸の反応物以外のトリマー酸に水素を添加した水添トリマー酸等が挙げられる。
【００３５】
ロジンとしては、例えば、ガムロジン、ウッドロジン及びトール油ロジン等の原料ロジン、並びに該原料ロジンから得られる誘導体が挙げられる。該誘導体としては、例えば、精製ロジン、水添ロジン、不均化ロジン、重合ロジン、酸変性ロジン、フェノール変性ロジン及びα，β不飽和カルボン酸変性物（アクリル化ロジン、マレイン化ロジン、フマル化ロジン等）、並びに該重合ロジンの精製物、水素化物及び不均化物、並びに該α，β不飽和カルボン酸変性物の精製物、水素化物及び不均化物等が挙げられ、これらの１種または２種以上を使用することができる。
【００３６】
本実施の形態のフラックスは、ロジンに加えてさらに他の樹脂を含んでも良く、他の樹脂としては、テルペン樹脂、変性テルペン樹脂、テルペンフェノール樹脂、変性テルペンフェノール樹脂、スチレン樹脂、変性スチレン樹脂、キシレン樹脂、及び変性キシレン樹脂から選択される少なくとも一種以上の樹脂をさらに含むことができる。変性テルペン樹脂としては、芳香族変性テルペン樹脂、水添テルペン樹脂、水添芳香族変性テルペン樹脂等を使用することができる。変性テルペンフェノール樹脂としては、水添テルペンフェノール樹脂等を使用することができる。変性スチレン樹脂としては、スチレンアクリル樹脂、スチレンマレイン酸樹脂等を使用することができる。変性キシレン樹脂としては、フェノール変性キシレン樹脂、アルキルフェノール変性キシレン樹脂、フェノール変性レゾール型キシレン樹脂、ポリオール変性キシレン樹脂、ポリオキシエチレン付加キシレン樹脂等を使用することができる。なお、ロジンの全量を１００とした場合、他の樹脂の量は４０ｗｔ％以下であることが好ましく、より好ましくは２０ｗｔ％以下である。
【００３７】
アミンとしては、モノエタノールアミン、ジフェニルグアニジン、エチルアミン、トリエチルアミン、エチレンジアミン、トリエチレンテトラミン、２−メチルイミダゾール、２−ウンデシルイミダゾール、２−ヘプタデシルイミダゾール、１，２−ジメチルイミダゾール、２−エチル−４−メチルイミダゾール、２−フェニルイミダゾール、２−フェニル−４−メチルイミダゾール、１−ベンジル−２−メチルイミダゾール、１−ベンジル−２−フェニルイミダゾール、１−シアノエチル−２−メチルイミダゾール、１−シアノエチル−２−ウンデシルイミダゾール、１−シアノエチル−２−エチル−４−メチルイミダゾール、１−シアノエチル−２−フェニルイミダゾール、１−シアノエチル−２−ウンデシルイミダゾリウムトリメリテイト、１−シアノエチル−２−フェニルイミダゾリウムトリメリテイト、２，４−ジアミノ−６−［２′−メチルイミダゾリル−（１′）］−エチル−ｓ−トリアジン、２，４−ジアミノ−６−［２′−ウンデシルイミダゾリル−（１′）］−エチル−ｓ−トリアジン、２，４−ジアミノ−６−［２′−エチル−４′−メチルイミダゾリル−（１′）］−エチル−ｓ−トリアジン、２，４−ジアミノ−６−［２′−メチルイミダゾリル−（１′）］−エチル−ｓ−トリアジンイソシアヌル酸付加物、２−フェニルイミダゾールイソシアヌル酸付加物、２−フェニル−４，５−ジヒドロキシメチルイミダゾール、２−フェニル−４−メチル−５−ヒドロキシメチルイミダゾール、２，３−ジヒドロ−１Ｈ−ピロロ［１，２−ａ］ベンズイミダゾール、１−ドデシル−２−メチル−３−ベンジルイミダゾリウムクロライド、２−メチルイミダゾリン、２−フェニルイミダゾリン、２，４−ジアミノ−６−ビニル−ｓ−トリアジン、２，４−ジアミノ−６−ビニル−ｓ−トリアジンイソシアヌル酸付加物、２，４−ジアミノ−６−メタクリロイルオキシエチル−ｓ−トリアジン、エポキシ−イミダゾールアダクト、２−メチルベンゾイミダゾール、２−オクチルベンゾイミダゾール、２−ペンチルベンゾイミダゾール、２−（１−エチルペンチル）ベンゾイミダゾール、２−ノニルベンゾイミダゾール、２−（４−チアゾリル）ベンゾイミダゾール、ベンゾイミダゾール、２−（２′−ヒドロキシ−５′−メチルフェニル）ベンゾトリアゾール、２−（２′−ヒドロキシ−３′−ｔｅｒｔ−ブチル−５′−メチルフェニル）−５−クロロベンゾトリアゾール、２−（２′−ヒドロキシ−３′，５′−ジ−ｔｅｒｔ−アミルフェニル）ベンゾトリアゾール、２−（２′−ヒドロキシ−５′−ｔｅｒｔ−オクチルフェニル）ベンゾトリアゾール、２，２′−メチレンビス［６−（２Ｈ−ベンゾトリアゾール−２−イル）−４−ｔｅｒｔ−オクチルフェノール］、６−（２−ベンゾトリアゾリル）−４−ｔｅｒｔ−オクチル−６′−ｔｅｒｔ−ブチル−４′−メチル−２，２′−メチレンビスフェノール、１，２，３−ベンゾトリアゾール、１−［Ｎ，Ｎ−ビス（２−エチルヘキシル）アミノメチル］ベンゾトリアゾール、カルボキシベンゾトリアゾール、１−［Ｎ，Ｎ−ビス（２−エチルヘキシル）アミノメチル］メチルベンゾトリアゾール、２，２′−［［（メチル−１Ｈ−ベンゾトリアゾール−１−イル）メチル］イミノ］ビスエタノール、１−（１′，２′−ジカルボキシエチル）ベンゾトリアゾール、１−（２，３−ジカルボキシプロピル）ベンゾトリアゾール、１−［（２−エチルヘキシルアミノ）メチル］ベンゾトリアゾール、２，６−ビス［（１Ｈ−ベンゾトリアゾール−１−イル）メチル］−４−メチルフェノール、５−メチルベンゾトリアゾール、５−フェニルテトラゾール等が挙げられる。
【００３８】
有機ハロゲン化合物としては、有機ブロモ化合物であるｔｒａｎｓ−２，３−ジブロモ−１，４−ブテンジオール、トリアリルイソシアヌレート６臭化物、１−ブロモ−２−ブタノール、１−ブロモ−２−プロパノール、３−ブロモ−１−プロパノール、３−ブロモ−１，２−プロパンジオール、１，４−ジブロモ−２−ブタノール、１，３−ジブロモ−２−プロパノール、２，３−ジブロモ−１−プロパノール、２，３−ジブロモ−１，４−ブタンジオール、２，３−ジブロモ−２−ブテン−１，４−ジオール、ｔｒａｎｓ−２，３−ジブロモ−２−ブテン−１，４−ジオール、ｃｉｓ−２，３−ジブロモ−２−ブテン−１，４−ジオール、テトラブロモフタル酸、ブロモコハク酸等が挙げられる。また、有機クロロ化合物であるクロロアルカン、塩素化脂肪酸エステル、ヘット酸、ヘット酸無水物等が挙げられる。
【００３９】
アミンハロゲン化水素酸塩は、アミンとハロゲン化水素を反応させた化合物であり、アニリン塩化水素、アニリン臭化水素等が挙げられる。アミンハロゲン化水素酸塩のアミンとしては、上述したアミンを用いることができ、エチルアミン、エチレンジアミン、トリエチルアミン、メチルイミダゾール、２−エチル−４−メチルイミダゾール等が挙げられ、ハロゲン化水素としては、塩素、臭素、ヨウ素、フッ素の水素化物（塩化水素、臭化水素、ヨウ化水素、フッ化水素）が挙げられる。また、アミンハロゲン化水素酸塩に代えて、あるいはアミンハロゲン化水素酸塩と合わせてホウフッ化物を含んでも良く、ホウフッ化物としてホウフッ化水素酸等が挙げられる。
【００４０】
チキソ剤としては、ワックス系チキソ剤、アマイド系チキソ剤が挙げられる。ワックス系チキソ剤としては例えばヒマシ硬化油等が挙げられる。アマイド系チキソ剤としてはラウリン酸アマイド、パルミチン酸アマイド、ステアリン酸アマイド、ベヘン酸アマイド、ヒドロキシステアリン酸アマイド、飽和脂肪酸アマイド、オレイン酸アマイド、エルカ酸アマイド、不飽和脂肪酸アマイド、ｐ−トルエンメタンアマイド、芳香族アマイド、メチレンビスステアリン酸アマイド、エチレンビスラウリン酸アマイド、エチレンビスヒドロキシステアリン酸アマイド、飽和脂肪酸ビスアマイド、メチレンビスオレイン酸アマイド、不飽和脂肪酸ビスアマイド、ｍ−キシリレンビスステアリン酸アマイド、芳香族ビスアマイド、飽和脂肪酸ポリアマイド、不飽和脂肪酸ポリアマイド、芳香族ポリアマイド、置換アマイド、メチロールステアリン酸アマイド、メチロールアマイド、脂肪酸エステルアマイド等が挙げられる。
【００４１】
ベース剤としては、ポリエチレングリコール等が挙げられる。界面活性剤としては、ヒドロキシプロピル化エチレンジアミン、ポリオキシプロピレンエチレンジアミン、エチレンジアミンテトラポリオキシエチレンポリオキシプロピレン、ポリオキシエチレンアルキルアミン、ポリオキシエチレンアルキルエーテル、ポリオキシエチレンアルキルアミド等が挙げられる。酸化防止剤としては、ヒンダードフェノール系酸化防止剤等が挙げられる。
【００４２】
＜本実施の形態のソルダペーストの一例＞
本実施の形態のソルダペーストは、上述したフラックスと、金属粉を含む。金属粉は、Ｐｂを含まないはんだであることが好ましく、Ｓｎ単体、または、Ｓｎ−Ａｇ系、Ｓｎ−Ｃｕ系、Ｓｎ−Ａｇ−Ｃｕ系、Ｓｎ−Ｂｉ系、Ｓｎ-Ｉｎ系等、あるいは、これらの合金にＳｂ、Ｂｉ、Ｉｎ、Ｃｕ、Ｚｎ、Ａｓ、Ａｇ、Ｃｄ、Ｆｅ、Ｎｉ、Ｃｏ、Ａｕ、Ｇｅ、Ｐ等を添加したはんだの粉体で構成される。
【００４３】
＜本実施の形態のフラックス及びソルダペーストの作用効果例＞
オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計を１ｗｔ％以上１３ｗｔ％以下含むフラックス、及び、このフラックスを用いたソルダペーストでは、はんだの濡れ性を得ることができる、また、残渣の量を抑制して低残渣を実現できる。
【００４４】
本実施の形態のフラックスを電極に塗布し、フラックスを塗布した電極にはんだボールを載せてはんだバンプを形成する場合、はんだが均等に濡れ広がることで、電極に対してはんだボールの位置ずれが抑制され、ボールミッシングの発生を抑制できる。
【実施例】
【００４５】
以下の表１に示す組成で実施例と比較例のフラックスを調合して、はんだの濡れ広がり性と残渣量について検証した。なお、表１における組成率は、フラックスの全量を１００とした場合のｗｔ（重量）％である。
【００４６】
＜はんだの濡れ広がり評価＞
（１）検証方法
Ｃｕ板上に直径φ０．３４ｍｍ、厚さｔ＝０．２ｍｍにて各実施例、各比較例のフラックスを印刷し、その後、Ａｇが３ｗｔ％、Ｃｕが０．５ｗｔ％、残部がＳｎのはんだ（Ｓｎ−３Ａｇ−０．５Ｃｕ）によるはんだボールを搭載した。はんだボールは、直径がφ０．３ｍｍである。評価対象は、各実施例、各比較例とも５０個である。以上のように作成した試験対象物を、リフロー炉を使用し、Ｎ２雰囲気下で２５℃〜２５０℃まで、昇温速度５℃／ｓｅｃにて加熱した後、溶融したはんだの濡れ広がり径を測定した。
【００４７】
（２）判定基準
〇：濡れ広がり径が３５０μｍ以上であった
×：濡れ広がり径が３５０μｍ未満であった
【００４８】
＜残渣量評価＞
（１）検証方法
ＴＧ法（熱重量測定法）による試験評価方法として、アルミパンに各実施例及び各比較例のフラックスを１０ｍｇ詰めて、ＵＬＶＡＣ社製ＴＧＤ９６００を用いてＮ２雰囲気下で２５℃〜２５０℃まで、昇温速度１℃／ｓｅｃにて加熱した。加熱後の各フラックスの重量が、加熱前の１５％以下になったかどうかを測定した。
【００４９】
（２）判定基準
○：重量が加熱前の１５％以下になった
×：重量が加熱前の１５％より大きかった
【００５０】
加熱後の重量が加熱前の１５％以下になったフラックスは、加熱によってフラックス中の成分が十分に揮発し、リフロー後に洗浄不要なフラックスであると言える。重量が加熱前の１５％より大きかったフラックスは、フラックス中の成分の揮発が不十分であったと言える。フラックス中の成分の揮発が不十分で残渣が多く残ると、吸湿等による導電不良等の原因となる。
【００５１】
＜総合評価＞
〇：濡れ広がり評価、残渣量評価の何れも〇であった
×：濡れ広がり評価、残渣量評価の何れか、または両方が×であった
【００５２】
【表１】
2019118928.tif 000002
【００５３】
フラックスについて、各実施例と各比較例について検証すると、実施例１に示すように、オレイン酸とリノール酸の反応物である炭素数３６のダイマー酸を、本発明で規定される範囲内で５ｗｔ％含み、溶剤としてイソボルニルシクロヘキサノールを７５ｗｔ％、１，３−ブチレングリコールを２０ｗｔ％含み、溶剤の合計の量が９５ｗｔ％で本発明で規定される範囲内であるフラックスでは、はんだの濡れ広がり径が３５０μｍ以上で、はんだが良好にぬれ広がり、はんだの濡れ広がりに対して十分な効果が得られた。また、残渣量が１５ｗｔ％以下で、残渣量を抑制して低残渣とする十分な効果が得られた。なお、溶剤としてイソボルニルシクロヘキサノールを含むことで、加熱前の常温時のフラックスの粘度を、はんだボールを保持できる程度にまで上げることができた。
【００５４】
実施例２に示すように、オレイン酸とリノール酸の反応物である炭素数３６のダイマー酸に水素を添加した水添ダイマー酸を、本発明で規定される範囲内で５ｗｔ％含み、溶剤としてイソボルニルシクロヘキサノールを７５ｗｔ％、１，３−ブチレングリコールを２０ｗｔ％含み、溶剤の合計の量が９５ｗｔ％で本発明で規定される範囲内であるフラックスでも、はんだの濡れ広がりに対して十分な効果が得られた。また、残渣量を抑制して低残渣とする十分な効果が得られた。
【００５５】
実施例３に示すように、オレイン酸とリノール酸の反応物である炭素数５４のトリマー酸を、本発明で規定される範囲内で５ｗｔ％含み、溶剤としてイソボルニルシクロヘキサノールを７５ｗｔ％、１，３−ブチレングリコールを２０ｗｔ％含み、溶剤の合計の量が９５ｗｔ％で本発明で規定される範囲内であるフラックスでも、はんだの濡れ広がりに対して十分な効果が得られた。また、残渣量を抑制して低残渣とする十分な効果が得られた。
【００５６】
実施例４に示すように、オレイン酸とリノール酸の反応物である炭素数５４のトリマー酸に水素を添加した水添トリマー酸を、本発明で規定される範囲内で５ｗｔ％含み、溶剤としてイソボルニルシクロヘキサノールを７５ｗｔ％、１，３−ブチレングリコールを２０ｗｔ％含み、溶剤の合計の量が９５ｗｔ％で本発明で規定される範囲内であるフラックスでも、はんだの濡れ広がりに対して十分な効果が得られた。また、残渣量を抑制して低残渣とする十分な効果が得られた。
【００５７】
実施例５に示すように、オレイン酸とリノール酸の反応物である炭素数３６のダイマー酸を２．５ｗｔ％、オレイン酸とリノール酸の反応物である炭素数５４のトリマー酸を２．５ｗｔ％含み、オレイン酸とリノール酸の反応物であるダイマー酸とオレイン酸とリノール酸の反応物であるトリマー酸の合計量が５ｗｔ％で本発明で規定される範囲内であり、溶剤としてイソボルニルシクロヘキサノールを７５ｗｔ％、１，３−ブチレングリコールを２０ｗｔ％含み、溶剤の合計の量が９５ｗｔ％で本発明で規定される範囲内であるフラックスでも、はんだの濡れ広がりに対して十分な効果が得られた。また、残渣量を抑制して低残渣とする十分な効果が得られた。
【００５８】
実施例６に示すように、オレイン酸とリノール酸の反応物である炭素数３６のダイマー酸に水素を添加した水添ダイマー酸を２．５ｗｔ％、オレイン酸とリノール酸の反応物である炭素数５４のトリマー酸に水素を添加した水添トリマー酸を２．５ｗｔ％含み、オレイン酸とリノール酸の反応物であるダイマー酸に水素を添加した水添ダイマー酸とオレイン酸とリノール酸の反応物であるトリマー酸に水素を添加した水添トリマー酸の合計量が５ｗｔ％で本発明で規定される範囲内であり、溶剤としてイソボルニルシクロヘキサノールを７５ｗｔ％、１，３−ブチレングリコールを２０ｗｔ％含み、溶剤の合計の量が９５ｗｔ％で本発明で規定される範囲内であるフラックスでも、はんだの濡れ広がりに対して十分な効果が得られた。また、残渣量を抑制して低残渣とする十分な効果が得られた。
【００５９】
実施例７に示すように、オレイン酸とリノール酸の反応物である炭素数３６のダイマー酸を、本発明で規定される範囲内で５ｗｔ％含み、溶剤として２，４−ジエチル−１，５−ペンタンジオールを７５ｗｔ％、１，３−ブチレングリコールを２０ｗｔ％含み、溶剤の合計の量が９５ｗｔ％で本発明で規定される範囲内であるフラックスでも、はんだの濡れ広がりに対して十分な効果が得られた。また、残渣量を抑制して低残渣とする十分な効果が得られた。なお、溶剤として２，４−ジエチル−１，５−ペンタンジオールを含むことでも、加熱前の常温時のフラックスの粘度を、はんだボールを保持できる程度にまで上げることができた。
【００６０】
実施例８に示すように、オレイン酸とリノール酸の反応物である炭素数３６のダイマー酸を、本発明で規定される範囲内で１３ｗｔ％含み、溶剤としてイソボルニルシクロヘキサノールを６７ｗｔ％、１，３−ブチレングリコールを２０ｗｔ％含み、溶剤の合計の量が８７ｗｔ％で本発明で規定される範囲内であるフラックスでも、はんだの濡れ広がりに対して十分な効果が得られた。また、残渣量を抑制して低残渣とする十分な効果が得られた。
【００６１】
実施例９に示すように、オレイン酸とリノール酸の反応物である炭素数３６のダイマー酸を、本発明で規定される範囲内で５ｗｔ％含み、さらに、有機酸として炭素数３のマロン酸を、本発明で規定された範囲内で５ｗｔ％含み、溶剤としてイソボルニルシクロヘキサノールを７０ｗｔ％、１，３−ブチレングリコールを２０ｗｔ％含み、溶剤の合計の量が９０ｗｔ％で本発明で規定される範囲内であるフラックスでも、はんだの濡れ広がりに対して十分な効果が得られた。また、残渣量を抑制して低残渣とする十分な効果が得られた。
【００６２】
実施例１０に示すように、オレイン酸とリノール酸の反応物である炭素数３６のダイマー酸を、本発明で規定される範囲内で５ｗｔ％含み、さらに、有機酸として炭素数４のコハク酸を、本発明で規定された範囲内で５ｗｔ％含み、溶剤としてイソボルニルシクロヘキサノールを７０ｗｔ％、１，３−ブチレングリコールを２０ｗｔ％含み、溶剤の合計の量が９０ｗｔ％で本発明で規定される範囲内であるフラックスでも、はんだの濡れ広がりに対して十分な効果が得られた。また、残渣量を抑制して低残渣とする十分な効果が得られた。
【００６３】
実施例１１に示すように、オレイン酸とリノール酸の反応物である炭素数３６のダイマー酸を、本発明で規定される範囲内で５ｗｔ％含み、さらに、有機酸として炭素数５のグルタル酸を、本発明で規定された範囲内で５ｗｔ％含み、溶剤としてイソボルニルシクロヘキサノールを７０ｗｔ％、１，３−ブチレングリコールを２０ｗｔ％含み、溶剤の合計の量が９０ｗｔ％で本発明で規定される範囲内であるフラックスでも、はんだの濡れ広がりに対して十分な効果が得られた。また、残渣量を抑制して低残渣とする十分な効果が得られた。
【００６４】
実施例１２に示すように、オレイン酸とリノール酸の反応物である炭素数３６のダイマー酸を、本発明で規定される範囲内で５ｗｔ％含み、さらに、有機酸として炭素数１２のアジピン酸を、本発明で規定された範囲内で５ｗｔ％含み、溶剤としてイソボルニルシクロヘキサノールを７０ｗｔ％、１，３−ブチレングリコールを２０ｗｔ％含み、溶剤の合計の量が９０ｗｔ％で本発明で規定される範囲内であるフラックスでも、はんだの濡れ広がりに対して十分な効果が得られた。また、残渣量を抑制して低残渣とする十分な効果が得られた。
【００６５】
実施例１３に示すように、オレイン酸とリノール酸の反応物である炭素数３６のダイマー酸を、本発明で規定される範囲内で５ｗｔ％含み、さらに、ロジンとして水添ロジンを、本発明で規定された範囲内で５ｗｔ％含み、溶剤としてイソボルニルシクロヘキサノールを７０ｗｔ％、１，３−ブチレングリコールを２０ｗｔ％含み、溶剤の合計の量が９０ｗｔ％で本発明で規定される範囲内であるフラックスでも、はんだの濡れ広がりに対して十分な効果が得られた。また、残渣量が１５ｗｔ％以下で、ロジンを含んでも、残渣量を抑制して低残渣とする十分な効果が得られた。
【００６６】
実施例１４に示すように、オレイン酸とリノール酸の反応物である炭素数３６のダイマー酸を、本発明で規定される範囲内で５ｗｔ％含み、さらに、アミンとして２−フェニルイミダゾールを、本発明で規定された範囲内で５ｗｔ％含み、溶剤としてイソボルニルシクロヘキサノールを７０ｗｔ％、１，３−ブチレングリコールを２０ｗｔ％含み、溶剤の合計の量が９０ｗｔ％で本発明で規定される範囲内であるフラックスでも、はんだの濡れ広がりに対して十分な効果が得られた。また、残渣量を抑制して低残渣とする十分な効果が得られた。
【００６７】
実施例１５に示すように、オレイン酸とリノール酸の反応物である炭素数３６のダイマー酸を、本発明で規定される範囲内で１ｗｔ％含み、さらに、有機酸として炭素数３のマロン酸を、本発明で規定された範囲内で５ｗｔ％含み、ハロゲンとしてアミンハロゲン化水素酸塩を、本発明で規定された範囲内で１ｗｔ％含み、溶剤としてイソボルニルシクロヘキサノールを７３ｗｔ％、１，３−ブチレングリコールを２０ｗｔ％含み、溶剤の合計の量が９３ｗｔ％で本発明で規定される範囲内であるフラックスでも、はんだの濡れ広がりに対して十分な効果が得られた。また、残渣量を抑制して低残渣とする十分な効果が得られた。
【００６８】
実施例１６に示すように、オレイン酸とリノール酸の反応物である炭素数３６のダイマー酸を、本発明で規定される範囲内で５ｗｔ％含み、さらに、ハロゲンとして有機ハロゲン化合物を、本発明で規定された範囲内で５ｗｔ％含み、溶剤としてイソボルニルシクロヘキサノールを７０ｗｔ％、１，３−ブチレングリコールを２０ｗｔ％含み、溶剤の合計の量が９０ｗｔ％で本発明で規定される範囲内であるフラックスでも、はんだの濡れ広がりに対して十分な効果が得られた。また、残渣量を抑制して低残渣とする十分な効果が得られた。
【００６９】
これに対して、比較例１に示すように、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれも含まず、有機酸として炭素数３のマロン酸を、本発明で規定された範囲内で５ｗｔ％含み、溶剤としてイソボルニルシクロヘキサノールを７５ｗｔ％、１，３−ブチレングリコールを２０ｗｔ％含み、溶剤の合計の量が９５ｗｔ％で本発明で規定される範囲内であるフラックスでは、低残渣とする効果は得られたが、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸以外の有機酸を、本発明で規定される範囲内で含んでも、はんだの濡れ広がり径が３５０μｍ未満で、はんだが濡れ広がらず、はんだの濡れ広がりに対して効果が得られなかった。
【００７０】
比較例２に示すように、オレイン酸とリノール酸の反応物であるダイマー酸を、本発明で規定される範囲内で１０ｗｔ％含む場合でも、ロジンとして水添ロジンを、本発明で規定される範囲を超えて４０ｗｔ％含み、溶剤としてイソボルニルシクロヘキサノールを２０ｗｔ％、１，３−ブチレングリコールを３０ｗｔ％含み、溶剤の合計の量が５０ｗｔ％で本発明で規定される範囲を下回るフラックスでは、はんだの濡れ広がりに対しては効果を得られたが、残渣量が１５ｗｔ％を超え、残渣量が抑制できず低残渣とする効果が得られなかった。
【００７１】
比較例３に示すように、オレイン酸とリノール酸の反応物であるダイマー酸を含む場合でも、オレイン酸とリノール酸の反応物であるダイマー酸を、本発明で規定される範囲を下回る０．１ｗｔ％含み、溶剤としてイソボルニルシクロヘキサノールを７９．９ｗｔ％、１，３−ブチレングリコールを２０ｗｔ％含み、溶剤の合計の量が９９．９ｗｔ％で本発明で規定される範囲を超えるフラックスでは、低残渣とする効果は得られたが、はんだの濡れ広がり径が３５０μｍ未満で、はんだが濡れ広がらず、はんだの濡れ広がりに対して効果が得られなかった。
【００７２】
以上のことから、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計を１ｗｔ％以上１３ｗｔ％以下、溶剤を６５ｗｔ％以上９９ｗｔ％以下含むフラックスでは、はんだが良好に濡れ広がった。また、残渣量が抑制された。
【００７３】
これらの効果は、活性剤として他の有機酸、アミン、アミンハロゲン化水素酸塩、有機ハロゲン化合物を本発明で規定される範囲内で含むことでも阻害されなかった。また、ロジンを本発明で規定される範囲内で含むことでも阻害されなかった。
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計を１ｗｔ％以上１３ｗｔ％以下、溶剤を６５ｗｔ％以上９９ｗｔ％以下含み、
１０ｍｇの当該フラックスを、Ｎ２雰囲気下で、２５℃〜２５０℃まで昇温速度１℃／ｓｅｃにて加熱した後の重量が、加熱前の重量の１５％以下である
ことを特徴とするフラックス。
【請求項２】
溶剤を８５ｗｔ％以上９５ｗｔ％以下含む
ことを特徴とする請求項１に記載のフラックス。
【請求項３】
さらに他の有機酸を０ｗｔ％以上５ｗｔ％以下含む
ことを特徴とする請求項１または請求項２に記載のフラックス。
【請求項４】
さらにロジンを０ｗｔ％以上１０．０ｗｔ％以下含む
ことを特徴とする請求項１〜請求項３の何れか１項に記載のフラックス。
【請求項５】
ロジンを非含有とする
ことを特徴とする請求項１〜請求項３の何れか１項に記載のフラックス。
【請求項６】
さらにアミンを０ｗｔ％以上５ｗｔ％以下含む
ことを特徴とする請求項１〜請求項５の何れか１項に記載のフラックス。
【請求項７】
さらに有機ハロゲン化合物を０ｗｔ％以上５ｗｔ％以下含む
ことを特徴とする請求項１〜請求項６の何れか１項に記載のフラックス。
【請求項８】
さらにアミンハロゲン化水素酸塩を０ｗｔ％以上１ｗｔ％以下含む
ことを特徴とする請求項１〜請求項７の何れか１項に記載のフラックス。
【請求項９】
さらにベース材、界面活性剤、チキソ剤、酸化防止剤のうち、少なくとも１種を含む
ことを特徴とする請求項１〜請求項８の何れか１項に記載のフラックス。
【請求項１０】
請求項１から請求項９の何れか１項に記載のフラックスとはんだ粉末を混合した
ことを特徴とするソルダペースト。
【手続補正２】
【補正対象書類名】明細書
【補正対象項目名】００１３
【補正方法】変更
【補正の内容】
【００１３】
そこで、本発明は、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計を１ｗｔ％以上１３ｗｔ％以下、溶剤を６５ｗｔ％以上９９ｗｔ％以下含み、１０ｍｇの当該フラックスを、Ｎ２雰囲気下で、２５℃〜２５０℃まで昇温速度１℃／ｓｅｃにて加熱した後の重量が、加熱前の重量の１５％以下であるフラックスである。
【手続補正３】
【補正対象書類名】明細書
【補正対象項目名】００１７
【補正方法】削除
【補正の内容】